(57)【特許請求の範囲】
【請求項１】
ボウルを有する大便器と、
前記ボウルに便器洗浄水を供給する便器洗浄水供給手段と、
前記ボウル内に局部洗浄ノズルを進退させるノズル駆動手段を有する局部洗浄装置と、
便器洗浄を実行する指令と局部洗浄を実行する指令を手動によりそれぞれ入力可能とした操作装置と、
前記便器洗浄水供給手段および前記ノズル駆動手段の動作を制御し、前記便器洗浄水供給手段による前記便器洗浄水の供給と、前記ノズル駆動手段による前記局部洗浄ノズルの進出と、を同時に実行しない制御部と、
を備え、
前記便器洗浄は、前記ボウルのリム吐水口から便器洗浄水を吐水する工程と、前記ボウルのゼット吐水口から便器洗浄水を吐水する工程と、を順次実行し、
前記制御部は、
前記ゼット吐水口から前記便器洗浄水を吐水する工程の前に、前記リム吐水口から前記便器洗浄水を吐水する工程において、前記局部洗浄を実行する指令が前記操作装置に入力されると、前記便器洗浄を停止して前記局部洗浄を実行し、
前記リム吐水口から前記便器洗浄水を吐水する工程の後に、前記便器洗浄水供給手段により前記便器洗浄水を前記ボウルに供給している場合には、前記局部洗浄を実行する指令が前記操作装置に入力されても前記局部洗浄の実行を禁止することを特徴とするトイレ装置。
【請求項２】
ボウルを有する大便器と、
前記ボウルに便器洗浄水を供給する便器洗浄水供給手段と、
前記ボウル内に局部洗浄ノズルを進退させるノズル駆動手段を有する局部洗浄装置と、
便器洗浄を実行する指令と局部洗浄を実行する指令を手動によりそれぞれ入力可能とした操作装置と、
前記便器洗浄水供給手段および前記ノズル駆動手段の動作を制御し、前記便器洗浄水供給手段による前記便器洗浄水の供給と、前記ノズル駆動手段による前記局部洗浄ノズルの進出と、を同時に実行しない制御部と、
を備え、
前記制御部は、
前記便器洗浄の動作によって前記ボウルの封水が排出されて封水切れを起こす前に、前記局部洗浄を実行する指令が前記操作装置に入力されると、前記便器洗浄を停止して前記局部洗浄を実行し、
前記便器洗浄の動作によって前記ボウルの封水が排出されて封水切れを起こした後に、前記便器洗浄水供給手段により前記便器洗浄水を前記ボウルに供給している場合には、前記局部洗浄を実行する指令が前記操作装置に入力されても前記局部洗浄の実行を禁止することを特徴とするトイレ装置。
【請求項３】
ボウルを有する大便器と、
前記ボウルに便器洗浄水を供給する便器洗浄水供給手段と、
前記ボウル内に局部洗浄ノズルを進退させるノズル駆動手段を有する局部洗浄装置と、
便器洗浄を実行する指令と局部洗浄を実行する指令を手動によりそれぞれ入力可能とした操作装置と、
前記便器洗浄水供給手段および前記ノズル駆動手段の動作を制御し、前記便器洗浄水供給手段による前記便器洗浄水の供給と、前記ノズル駆動手段による前記局部洗浄ノズルの進出と、を同時に実行しない制御部と、
を備え、
前記便器洗浄は、前記ボウルのリム吐水口から便器洗浄水を吐水する工程と、前記ボウルのゼット吐水口から便器洗浄水を吐水する工程と、を順次実行し、
前記制御部は、
前記ノズル駆動手段により前記局部洗浄ノズルを前記ボウル内に進出させている場合には、前記便器洗浄を実行する指令が前記操作装置に入力されると、前記局部洗浄ノズルを退行させ、前記便器洗浄水供給手段を制御して前記便器洗浄水の供給を開始し、
前記ゼット吐水口から前記便器洗浄水を吐水する工程の前に、前記リム吐水口から前記便器洗浄水を吐水する工程において、前記局部洗浄を実行する指令が前記操作装置に入力されると、前記便器洗浄を停止して前記局部洗浄を実行することを特徴とするトイレ装置。
【請求項４】
ボウルを有する大便器と、
前記ボウルに便器洗浄水を供給する便器洗浄水供給手段と、
前記ボウル内に局部洗浄ノズルを進退させるノズル駆動手段を有する局部洗浄装置と、
便器洗浄を実行する指令と局部洗浄を実行する指令を手動によりそれぞれ入力可能とした操作装置と、
前記便器洗浄水供給手段および前記ノズル駆動手段の動作を制御し、前記便器洗浄水供給手段による前記便器洗浄水の供給と、前記ノズル駆動手段による前記局部洗浄ノズルの進出と、を同時に実行しない制御部と、
を備え、
前記制御部は、
前記ノズル駆動手段により前記局部洗浄ノズルを前記ボウル内に進出させている場合には、前記便器洗浄を実行する指令が前記操作装置に入力されると、前記局部洗浄ノズルを退行させ、前記便器洗浄水供給手段を制御して前記便器洗浄水の供給を開始し、
前記便器洗浄の動作によって前記ボウルの封水が排出されて封水切れを起こす前に、前記局部洗浄を実行する指令が前記操作装置に入力されると、前記便器洗浄を停止して前記局部洗浄を実行することを特徴とするトイレ装置。
【請求項５】
前記局部洗浄の実行が禁止されたことを報知する報知手段をさらに備えたことを特徴とする請求項１または２記載のトイレ装置。
【請求項６】
前記報知手段は、前記局部洗浄の実行が禁止された後であって、前記便器洗浄の動作が完了した際に、前記便器洗浄の動作が完了したことを報知することを特徴とする請求項５記載のトイレ装置。
【発明の詳細な説明】
【技術分野】
【０００１】
本発明の態様は、一般的に、トイレ装置に関し、具体的には洋式腰掛便器に腰かけた使用者の「おしり」などを水で洗浄可能としたトイレ装置に関する。
【背景技術】
【０００２】
局部洗浄機能を有するトイレ装置では、近年、便器洗浄用の操作スイッチが局部洗浄装置のリモコン（リモートコントロール装置）に設けられることが多い（例えば、特許文献１参照）。これらのトイレ装置においては、局部洗浄中に誤って便器洗浄用の操作スイッチが操作された場合には、局部洗浄と便器洗浄とが同時に実行され得る。さらに、局部洗浄中に臭いが気になる場合には、便器洗浄用の操作スイッチを操作して局部洗浄と便器洗浄とが同時に実行され得る。このように、局部洗浄と便器洗浄とが同時に実行されると、局部洗浄装置と便器洗浄装置とは同じ水道管に接続されているため、給水圧が低下し、必要な水圧が得られず、局部洗浄と便器洗浄との性能が低下するという問題が生ずる。
【０００３】
また、大便器のボウルの清掃性を高めるために、ボウルの上部内周面に便器洗浄水を周回させながら、その便器洗浄水をボウルに落として便器洗浄を行う大便器がある。この大便器を備えたトイレ装置においては、局部洗浄ノズルが便器洗浄水の周回路の一部を塞ぐように形成されているため、便器洗浄中に局部洗浄が開始されると、便器洗浄水が流れている面（ボウルの上部内周面）から局部洗浄ノズルが進出してくる。そのため、便器洗浄水と局部洗浄ノズルとが干渉して、便器洗浄水が水跳ねし、その水跳ねした水が使用者の臀部にぶつかるおそれがある。
【０００４】
一方、局部洗浄中に便器洗浄が開始されると、ボウル内に進出した局部洗浄ノズルが便器洗浄水の周回路を塞いでしまうため、便器洗浄水が十分に周回せず、ボウルの一部に不洗浄区域が生ずるおそれがある。便器洗浄中に局部洗浄が開始された場合と、局部洗浄中に便器洗浄が開始された場合と、のいずれの場合であっても、便器洗浄水の導水流路と、局部洗浄ノズルが進出・後退する開口部と、が一部重複するため、導水流路を流れる便器洗浄水が局部洗浄ノズルに衝突して水跳ねしたり、ボウルの一部に便器洗浄水が行き渡らず、便器の洗浄性能が低下するという問題が生ずる。
【０００５】
さらに、便器洗浄水をポンプが圧送して便器洗浄を実行する便器がある。この便器を備えたトイレ装置においては、便器洗浄中に局部洗浄が開始された場合や、局部洗浄中に便器洗浄が開始された場合には、局部洗浄に関する電力と、便器洗浄に関する電力と、が重複するため必要な電力が得られず、局部洗浄と便器洗浄との性能が低下するという問題が生ずる。
【特許文献１】特開２００５−０２３７１５号公報
【発明の開示】
【発明が解決しようとする課題】
【０００６】
本発明の態様は、かかる課題の認識に基づいてなされたものであり、リモコンによって便器洗浄を実行することが可能なトイレ装置において、便器洗浄性能および局部洗浄性能を損なわないようにすることができるトイレ装置を提供することを目的とする。
【課題を解決するための手段】
【０００７】
本発明の一態様によれば、ボウルを有する大便器と、前記ボウルに便器洗浄水を供給する便器洗浄水供給手段と、前記ボウル内に局部洗浄ノズルを進退させるノズル駆動手段を有する局部洗浄装置と、便器洗浄を実行する指令と局部洗浄を実行する指令を手動によりそれぞれ入力可能とした操作装置と、前記便器洗浄水供給手段および前記ノズル駆動手段の動作を制御して、前記便器洗浄水供給手段による前記便器洗浄水の供給と、前記ノズル駆動手段による前記局部洗浄ノズルの進出と、を同時に実行しない制御部と、を備え、前記便器洗浄は、前記ボウルのリム吐水口から便器洗浄水を吐水する工程と、前記ボウルのゼット吐水口から便器洗浄水を吐水する工程と、を順次実行し、前記制御部は、前記ゼット吐水口から前記便器洗浄水を吐水する工程の前に、前記リム吐水口から前記便器洗浄水を吐水する工程において、前記局部洗浄を実行する指令が前記操作装置に入力されると、前記便器洗浄を停止して前記局部洗浄を実行し、前記リム吐水口から前記便器洗浄水を吐水する工程の後に、前記便器洗浄水供給手段により前記便器洗浄水を前記ボウルに供給している場合には、前記局部洗浄を実行する指令が前記操作装置に入力されても前記局部洗浄の実行を禁止することを特徴とするトイレ装置が提供される。
【発明の効果】
【０００８】
本発明の態様によれば、リモコンによって便器洗浄を実行することが可能なトイレ装置において、便器洗浄性能および局部洗浄性能を損なわないようにすることができるトイレ装置が提供される。
【発明を実施するための最良の形態】
【０００９】
第一の発明によるトイレ装置は、ボウルを有する大便器と、前記ボウルに便器洗浄水を供給する便器洗浄水供給手段と、前記ボウル内に局部洗浄ノズルを進退させるノズル駆動手段を有する局部洗浄装置と、便器洗浄を実行する指令と局部洗浄を実行する指令を手動によりそれぞれ入力可能とした操作装置と、前記便器洗浄水供給手段および前記ノズル駆動手段の動作を制御し、前記便器洗浄水供給手段による前記便器洗浄水の供給と、前記ノズル駆動手段による前記局部洗浄ノズルの進出と、を同時に実行しない制御部と、を備え、前記便器洗浄は、前記ボウルのリム吐水口から便器洗浄水を吐水する工程と、前記ボウルのゼット吐水口から便器洗浄水を吐水する工程と、を順次実行し、前記制御部は、前記ゼット吐水口から前記便器洗浄水を吐水する工程の前に、前記リム吐水口から前記便器洗浄水を吐水する工程において、前記局部洗浄を実行する指令が前記操作装置に入力されると、前記便器洗浄を停止して前記局部洗浄を実行し、前記リム吐水口から前記便器洗浄水を吐水する工程の後に、前記便器洗浄水供給手段により前記便器洗浄水を前記ボウルに供給している場合には、前記局部洗浄を実行する指令が前記操作装置に入力されても前記局部洗浄の実行を禁止することを特徴とする。  
これによれば、便器洗浄および局部洗浄が同時に実行されないため、便器洗浄性能および局部洗浄性能を損なうことがない。また、局部洗浄よりも便器洗浄を優先的に実行することができる。さらに、リム−ゼット−リム吐水方式（いわゆる水道直圧方式）の便器洗浄において、ボウルの封水面が低下していない最初のリム工程においては便器洗浄を途中で中断させて、局部洗浄を優先的に実行することができる。
【００１０】
第二の発明によるトイレ装置は、ボウルを有する大便器と、前記ボウルに便器洗浄水を供給する便器洗浄水供給手段と、前記ボウル内に局部洗浄ノズルを進退させるノズル駆動手段を有する局部洗浄装置と、便器洗浄を実行する指令と局部洗浄を実行する指令を手動によりそれぞれ入力可能とした操作装置と、前記便器洗浄水供給手段および前記ノズル駆動手段の動作を制御し、前記便器洗浄水供給手段による前記便器洗浄水の供給と、前記ノズル駆動手段による前記局部洗浄ノズルの進出と、を同時に実行しない制御部と、を備え、前記制御部は、前記便器洗浄の動作によって前記ボウルの封水が排出されて封水切れを起こす前に、前記局部洗浄を実行する指令が前記操作装置に入力されると、前記便器洗浄を停止して前記局部洗浄を実行し、前記便器洗浄の動作によって前記ボウルの封水が排出されて封水切れを起こした後に、前記便器洗浄水供給手段により前記便器洗浄水を前記ボウルに供給している場合には、前記局部洗浄を実行する指令が前記操作装置に入力されても前記局部洗浄の実行を禁止することを特徴とする。
これによれば、便器洗浄および局部洗浄が同時に実行されないため、便器洗浄性能および局部洗浄性能を損なうことがない。また、局部洗浄よりも便器洗浄を優先的に実行することができる。さらに、ボウルの封水面が低下していない状態であれば便器洗浄を途中で中断させて、局部洗浄を優先的に実行することができる。
【００１１】
第三の発明によるトイレ装置は、ボウルを有する大便器と、前記ボウルに便器洗浄水を供給する便器洗浄水供給手段と、前記ボウル内に局部洗浄ノズルを進退させるノズル駆動手段を有する局部洗浄装置と、便器洗浄を実行する指令と局部洗浄を実行する指令を手動によりそれぞれ入力可能とした操作装置と、前記便器洗浄水供給手段および前記ノズル駆動手段の動作を制御し、前記便器洗浄水供給手段による前記便器洗浄水の供給と、前記ノズル駆動手段による前記局部洗浄ノズルの進出と、を同時に実行しない制御部と、を備え、前記便器洗浄は、前記ボウルのリム吐水口から便器洗浄水を吐水する工程と、前記ボウルのゼット吐水口から便器洗浄水を吐水する工程と、を順次実行し、前記制御部は、前記ノズル駆動手段により前記局部洗浄ノズルを前記ボウル内に進出させている場合には、前記便器洗浄を実行する指令が前記操作装置に入力されると、前記局部洗浄ノズルを退行させ、前記便器洗浄水供給手段を制御して前記便器洗浄水の供給を開始し、前記ゼット吐水口から前記便器洗浄水を吐水する工程の前に、前記リム吐水口から前記便器洗浄水を吐水する工程において、前記局部洗浄を実行する指令が前記操作装置に入力されると、前記便器洗浄を停止して前記局部洗浄を実行することを特徴とする。
これによれば、便器洗浄および局部洗浄が同時に実行されないため、便器洗浄性能および局部洗浄性能を損なうことがない。また、局部洗浄中に便器洗浄を実行しようとした場合には、局部洗浄ノズルが便器のボウルから退行した後に便器洗浄を実行するので、局部洗浄ノズルが便器洗浄を阻害することがない。さらに、リム−ゼット−リム吐水方式（いわゆる水道直圧方式）の便器洗浄において、ボウルの封水面が低下していない最初のリム工程においては便器洗浄を途中で中断させて、局部洗浄を優先的に実行することができる。
【００１２】
第四の発明によるトイレ装置は、ボウルを有する大便器と、前記ボウルに便器洗浄水を供給する便器洗浄水供給手段と、前記ボウル内に局部洗浄ノズルを進退させるノズル駆動手段を有する局部洗浄装置と、便器洗浄を実行する指令と局部洗浄を実行する指令を手動によりそれぞれ入力可能とした操作装置と、前記便器洗浄水供給手段および前記ノズル駆動手段の動作を制御し、前記便器洗浄水供給手段による前記便器洗浄水の供給と、前記ノズル駆動手段による前記局部洗浄ノズルの進出と、を同時に実行しない制御部と、を備え、前記制御部は、前記ノズル駆動手段により前記局部洗浄ノズルを前記ボウル内に進出させている場合には、前記便器洗浄を実行する指令が前記操作装置に入力されると、前記局部洗浄ノズルを退行させ、前記便器洗浄水供給手段を制御して前記便器洗浄水の供給を開始し、前記便器洗浄の動作によって前記ボウルの封水が排出されて封水切れを起こす前に、前記局部洗浄を実行する指令が前記操作装置に入力されると、前記便器洗浄を停止して前記局部洗浄を実行することを特徴とする。
これによれば、便器洗浄および局部洗浄が同時に実行されないため、便器洗浄性能および局部洗浄性能を損なうことがない。また、局部洗浄中に便器洗浄を実行しようとした場合には、局部洗浄ノズルが便器のボウルから退行した後に便器洗浄を実行するので、局部洗浄ノズルが便器洗浄を阻害することがない。さらに、ボウルの封水面が低下していない状態であれば便器洗浄を途中で中断させて、局部洗浄を優先的に実行することができる。
【００１３】
第五の発明によるトイレ装置は、第一または第二の発明において、前記局部洗浄の実行が禁止されたことを報知する報知手段をさらに備えたことを特徴とする。  
これによれば、便器洗浄後に再度、局部洗浄の操作を行なえば良いことを、使用者に知らしめることができる。
【００１４】
第六の発明によるトイレ装置は、第五の発明において、前記報知手段は、前記局部洗浄の実行が禁止された後であって、前記便器洗浄の動作が完了した際に、前記便器洗浄の動作が完了したことを報知することを特徴とする。  
これによれば、局部洗浄の操作の受付が可能であることを使用者に知らしめることができる。
【００１９】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置の構成を例示するブロック図である。  本実施形態のトイレ装置は、ボウルを有する便器（大便器）５００と、便器５００のボウルに便器洗浄水を供給する便器洗浄水供給手段３０２と、局部洗浄を実行するための局部洗浄機能部４００を有する局部洗浄装置と、を備えている。
【００２０】
局部洗浄機能部４００は、局部洗浄ノズル４０４（単にノズルとも言う）を進退させるノズル駆動手段４０２や、局部洗浄ノズル４０４の外周に水を噴射してその胴体を洗浄するノズル洗浄室４０６などを有している。
【００２１】
また、本実施形態にかかるトイレ装置は、使用者の手動操作により便器洗浄や局部洗浄などを実行（操作）することが可能な操作装置１００と、便器洗浄水供給手段３０２および局部洗浄機能部４００の動作を制御する制御部２００と、を備えている。操作装置１００は、例えばトイレ室の壁面に設けられていてもよいし、局部洗浄装置本体に設けられていてもよい。
【００２２】
制御部２００は、便器洗浄を実行する信号を操作装置１００から受け取ると、便器洗浄水供給手段３０２を制御して、便器５００のボウルに便器洗浄水を供給し、便器洗浄を実行させる。一方、制御部２００は、局部洗浄を実行する信号を操作装置１００から受け取ると、局部洗浄機能部４００、より具体的にはノズル駆動手段４０２を制御して、局部洗浄ノズル４０４を便器５００のボウル内に進出させ、その先端付近に設けられた吐水口から水を噴射して、便座に座った使用者の「おしり」などの洗浄を実行させる。なお、本願明細書において「水」という場合には、冷水のみならず、加熱されたお湯も含むものとする。
【００２３】
ここで、便器洗浄中に局部洗浄が実行されたり、局部洗浄中に便器洗浄が実行されると、局部洗浄機能部４００を有する局部洗浄装置と、便器洗浄水供給手段３０２を有する便器洗浄装置とは同じ水道管に接続されているため、給水圧が低下し、必要な水圧が得られず、局部洗浄と便器洗浄との性能が低下するおそれがある。また、後に詳述するように、ボウルの上部内周面から便器洗浄水をボウルに落として便器洗浄を行う場合には、便器洗浄水と局部洗浄ノズルとが干渉して、便器洗浄水が水跳ねし、その水跳ねした水が使用者の臀部にぶつかるおそれがある。さらに、後に詳述するように、便器洗浄水をポンプによって圧送させて便器洗浄を実行する場合には、局部洗浄に関する電力と、便器洗浄に関する電力と、が重複するため必要な電力が得られず、局部洗浄と便器洗浄との性能が低下するおそれがある。
【００２４】
そこで、本実施形態にかかるトイレ装置の制御部２００は、便器洗浄中に局部洗浄が操作された場合や、局部洗浄中に便器洗浄が操作された場合であっても、便器洗浄水供給手段３０２による便器洗浄水の供給と、ノズル駆動手段４０２による局部洗浄ノズル４０４の進出と、を同時に実行しないようにすることができる。以下、これらの動作の具体例について図面を参照しつつ説明する。
【００２５】
図２は、本実施形態にかかるトイレ装置の動作の具体例を例示するフローチャート図である。  
まず、使用者が操作装置１００に設けられた「おしり」洗浄や「ビデ」洗浄などのスイッチを操作して、局部洗浄の動作を要求すると（ステップＳ１００）、制御部２００は、現在便器洗浄が動作中であるか否かを判断する（ステップＳ１０２）。便器洗浄が動作中でなければ（ステップＳ１０２：ＮＯ）、局部洗浄と便器洗浄とが同時に実行されることはないため、制御部２００は、使用者の要求通り、局部洗浄を実行する（ステップＳ１０４）。
【００２６】
一方、便器洗浄が動作中であれば（ステップＳ１０２：ＹＥＳ）、局部洗浄と便器洗浄とが同時に実行されることになるため、制御部２００は、局部洗浄の動作の要求（命令）を受け付けず、便器洗浄の動作を継続させる（ステップＳ１０６）。すなわち、便器洗浄中に局部洗浄が操作された場合には、制御部２００は、局部洗浄の実行を禁止し、便器洗浄の動作を優先的に実行する。ここで、本実施形態のトイレ装置は、局部洗浄の実行が禁止されたことを、例えば音や照明などを用いて報知する報知手段を備えていてもよい。このように音や照明などを用いて報知すれば、局部洗浄装置の故障などではなく、局部洗浄の実行が強制的に禁止されたことを、使用者はより確実に知ることができる。
【００２７】
続いて、便器洗浄の動作が完了すると（ステップＳ１０８）、トイレ装置は待機状態となる（ステップＳ１１０）。このときにも、待機状態となったことを、例えば音や照明などを用いて報知してもよい（ステップＳ１１０）。報知することによって、使用者は、便器洗浄の動作が完了し、局部洗浄を実行することが可能になったことを知ることができる。
【００２８】
図３は、本実施形態にかかるトイレ装置の動作の他の具体例を例示するフローチャート図である。  
まず、使用者が操作装置１００に設けられた「大」洗浄や「小」洗浄などのスイッチを操作して、便器洗浄の動作を要求すると（ステップＳ２００）、制御部２００は、現在局部洗浄が動作中であるか否かを判断する（ステップＳ２０２）。局部洗浄が動作中でなければ（ステップＳ２０２：ＮＯ）、局部洗浄と便器洗浄とが同時に実行されることはないため、制御部２００は、使用者の要求通り、便器洗浄を実行する（ステップＳ２０４）。
【００２９】
一方、局部洗浄が動作中であれば（ステップＳ２０２：ＹＥＳ）、局部洗浄と便器洗浄とが同時に実行されることになるため、制御部２００は、便器洗浄の動作の要求（命令）を受け付けず、局部洗浄の動作を継続させる（ステップＳ２０６）。すなわち、局部洗浄中に便器洗浄が操作された場合には、制御部２００は、便器洗浄の実行を禁止し、局部洗浄の動作を優先的に実行する。このとき、図２に関して前述したように、便器洗浄の実行が禁止されたことを、例えば音や照明などを用いて報知してもよい。このようにすれば、前述した効果と同様に、便器洗浄の実行が強制的に禁止されたことを、使用者はより確実に知ることができる。
【００３０】
続いて、使用者が操作装置１００に設けられた「止」スイッチを操作して、局部洗浄動作の完了を要求すると（ステップＳ２０８）、制御部２００は、局部洗浄ノズル４０４を便器５００のボウル内から後退（退行）させて局部洗浄装置内に収納し、トイレ装置は待機状態となる（ステップＳ２１０）。このときにも、図２に関して前述したように、待機状態となったことを、例えば音や照明などを用いて報知してもよい（ステップＳ１１０）。報知することによって、前述した効果と同様に、使用者は、便器洗浄を実行することが可能になったことを知ることができる。
【００３１】
また、制御部２００は、待機状態となった後に便器洗浄を実行してもよい（ステップＳ２１０）。このようにすることで、使用者は再び便器洗浄の動作を要求（命令）する手間を省くことができ、さらに局部洗浄を実行した後における便器洗浄の忘れ防止を行うことができる。
【００３２】
図４は、本実施形態にかかるトイレ装置の動作のさらに他の具体例を例示するフローチャート図である。  
まず、使用者が操作装置１００に設けられた「大」洗浄や「小」洗浄などのスイッチを操作して、便器洗浄の動作を要求すると（ステップＳ３００）、図３に関して前述したように、制御部２００は、現在局部洗浄が動作中であるか否かを判断する（ステップＳ３０２）。局部洗浄が動作中でなければ（ステップＳ３０２：ＮＯ）、制御部２００は、使用者の要求通り、便器洗浄を実行する（ステップＳ３０４）。
【００３３】
一方、局部洗浄が動作中であれば（ステップＳ３０２：ＹＥＳ）、制御部２００は、局部洗浄の動作を停止する（ステップＳ３０６）。すなわち、局部洗浄中に便器洗浄が操作された場合には、制御部２００は、局部洗浄の動作を途中で中止する。より具体的には、局部洗浄装置に設けられたヒータの動作を停止し、局部洗浄電磁弁を閉止する。ここで、ヒータとは、使用者が局部洗浄水に対して冷たさを感じないように、局部洗浄水を所定温度に温める装置である。また、局部洗浄電磁弁とは、局部洗浄ノズル４０４から噴射される局部洗浄水の吐止水を制御（開閉）する弁である。
【００３４】
制御部２００は、局部洗浄の動作を停止すると（ステップＳ３０６）、局部洗浄ノズル４０４を便器５００のボウル内から後退（退行）させて局部洗浄装置内に収納する（ステップＳ３０８）。このとき、局部洗浄ノズル４０４の収納の完了を待たずして、制御部２００は、便器洗浄を実行する（ステップＳ３１０）。このように、局部洗浄ノズル４０４の収納が完了していないときに便器洗浄を実行させたとしても、後で詳述するように、便器洗浄水を圧送するためのポンプが未だ動作していないため、局部洗浄に関する電力と、便器洗浄に関する電力と、が重複することはない。さらに、後に詳述するように、すでに局部洗浄電磁弁を閉止しているため、局部洗浄ノズル４０４の収納が完了していないときに便器洗浄を実行させたとしても、給水圧が低下することはない。局部洗浄ノズル４０４を局部洗浄装置内に収納させると、トイレ装置は待機状態となる（ステップＳ３１２）。
【００３５】
図５は、図４に表した動作の変形例を例示するフローチャート図である。  
ステップＳ３００、Ｓ３０２、Ｓ３０４、Ｓ３０６、Ｓ３０８については、図４に関して前述した動作と同様である。続いて、制御部２００が局部洗浄ノズル４０４を便器５００のボウル内から後退（退行）させて局部洗浄装置内に収納すると（ステップＳ３０８）、ノズル洗浄室４０６は、ノズル収納の後の洗浄として、局部洗浄ノズル４０４の外周に水を噴射してその胴体を洗浄する（ステップＳ３１４）。これと略同時に、制御部２００は、便器洗浄を実行する（ステップＳ３１０）。このように、後洗浄（ステップＳ３１４）と、便器洗浄動作（ステップＳ３１０）と、を同時に実行させたとしても、後洗浄（ステップＳ３１４）の実行時間は短いため、給水圧の低下が問題になるおそれは少ない。続いて、後洗浄（ステップＳ３１４）および便器洗浄動作（ステップＳ３１０）が完了すると、トイレ装置は待機状態となる（ステップＳ３１２）。
【００３６】
図６は、図４に表した動作の他の変形例を例示するフローチャート図である。  
図４に表した動作においては、制御部２００は、局部洗浄ノズル４０４の収納の完了を待たずして便器洗浄を実行するのに対して、本変形例においては、局部洗浄ノズル４０４の収納が完了した後に便器洗浄を実行する（ステップＳ３１０）。これにより、後に詳述するように、ボウルの上部内周面から便器洗浄水をボウルに落として便器洗浄を行う場合に、便器洗浄水と局部洗浄ノズルとが干渉することをより確実に防止することができる。その他の動作については、図４に関して前述した動作と同様である。
【００３７】
図７は、本実施形態にかかるトイレ装置の一例を例示する模式図である。  
また、図８は、図７に例示したトイレ装置の一部拡大斜視図である。すなわち、図８（ａ）は、便器のボウルの後部上端付近を表し、図８（ｂ）はこの部分から局部洗浄ノズルが進出した状態を表す。
【００３８】
図７に表したトイレ装置は、便器（大便器）５００と、その上部に設けられたケーシング４３０と、ケーシング４３０に対して開閉自在に軸支された便座４３２と、を備えている。ケーシング４３０の内部には、局部洗浄を実現するための局部洗浄機能部４００や、制御部２００などが内蔵されている。すなわち、図示しない着座センサなどにより使用者が便座４３２に座ったことを検知し、使用者のスイッチ操作などに応じて、局部洗浄ノズル４０４を便器５００のボウル５１０内に進出させ、その先端付近に設けられた吐水口から水を噴射して、便座４３２に座った使用者の「おしり」などを洗浄可能とされている。
【００３９】
また、ケーシング４３０には、便座４３２に座った状態の使用者の「おしり」などに向けて温風を吹き付けて乾燥させる「温風乾燥ユニット」や、ボウル内の空気を吸引して臭気成分を除去する「脱臭ユニット」や、温風を周囲に吹き出してトイレ空間を暖房する「室内暖房ユニット」などの各種の機構を適宜設けることもできる。
【００４０】
そして、図７および図８に表したトイレ装置においては、便器５００に切り欠き５３０が設けられ、この切り欠き５３０に設けられたシャッター４２０を介して局部洗浄ノズル４０４が便器５００のボウル５１０に進出可能とされている。
【００４１】
一方、便器５００のボウル５１０の上方には、便器洗浄水の導水流路５１０Ｒが設けられている。導水流路５１０Ｒは、ボウル５１０の上方においてボウル５１０の上端に対して略平行な凹状の流水路として設けられている。便器５００を洗浄する便器洗浄水は、例えば、図７において矢印５１０Ｓで示した部分に設けられた吐水口（図示せず）から、導水流路５１０Ｒの略接線方向に向けて吐出される。吐出された便器洗浄水は、導水流路５１０Ｒに沿って旋回しながらボウル５１０の下方に流下する。但し、図７に表したトイレ装置においては、便器洗浄水が導水流路５１０Ｒに沿って旋回しながらボウル５１０の下方に流下する場合を例に挙げたが、これだけに限られるわけではなく、例えば導水流路５１０Ｒの上方に設けられた単数あるいは複数の吐水口（図示せず）から旋回することなく略直接的にボウル５１０の下方に流下してもよい。
【００４２】
前述したように、便器５００のボウル５１０の後方の上端には、ボウル５１０に臨む開口を有する切り欠き５３０が設けられている。そして、切り欠き５３０のボウル５１０に臨む開口には、シャッター４２０と、これを保持する基部４１０と、を有する開閉手段が設けられている。切り欠き５３０は、ボウル５１０の上方に凹設された便器洗浄水の導水流路５１０Ｒの一部と重なっている。そして、図８（ａ）に表したように、シャッター４２０が閉じた状態においては、基部４１０及びシャッター４２０の表面は、導水流路５１０Ｒの一部を構成している。シャッター４２０は、導水流路５１０Ｒの上半分に設けられ、シャッター４２０が閉じた状態においてシャッター４２０の表面は斜め下方を向いている。なお、開閉手段の上端は、ケーシング４３０の下面に密接している。
【００４３】
基部４１０とシャッター４２０の表面は、隣接する導水流路５１０Ｒのボウル面と略連続した壁面を構成している。ここで、「略連続」とは、シャッター４２０の表面と導水流路５１０Ｒのボウル面とが面一あるいはわずかな段差がある状態を意味する。その結果として、基部４１０とシャッター４２０の表面は、導水流路５１０Ｒを流れる便器洗浄水の流れを妨げたり飛散することは殆どない。
【００４４】
一方、図８（ｂ）に表したように、局部洗浄ノズル４０４はシャッター４２０の裏側に収納され、使用時にはシャッター４２０を開いてボウル５１０の内に進出する。すなわち、「おしり」などの洗浄を実行する際には、ボウル５１０に開口する切り欠き５３０から局部洗浄ノズル４０４を進出させる。このように、ボウル５１０に切り欠き５３０を設け、この切り欠き５３０から局部洗浄ノズル４０４を進出させることにより、ケーシング４３０の高さを低くすることができる。その結果として、ケーシング４３０に軸支する便座４３２の軸支部の高さを低くすることができるため、座面の水平部を広くして、開放的で座り心地のよいトイレ装置を提供できる。
【００４５】
しかしながら、図７および図８に表したトイレ装置において、図２〜図６に表したような動作を行うことなく、便器洗浄中に局部洗浄が実行されたり、局部洗浄中に便器洗浄が実行されると、便器洗浄水と局部洗浄ノズル４０４とが干渉して、便器洗浄水が水跳ねし、その水跳ねした水が使用者の臀部にぶつかるおそれがある。さらに、ボウル５１０内に進出した局部洗浄ノズル４０４が導水流路５１０Ｒの一部を塞いでしまうため、便器洗浄水がボウル５１０内に十分に行き渡らず、ボウル５１０の一部に不洗浄区域が生ずるおそれがある。
【００４６】
これに対して、本実施形態にかかるトイレ装置によれば、図２〜図６に表したような動作を行うことによって、便器洗浄中に局部洗浄が操作された場合や、局部洗浄中に便器洗浄が操作された場合であっても、便器洗浄水供給手段３０２による便器洗浄水の供給と、ノズル駆動手段４０２による局部洗浄ノズル４０４の進出と、を同時に実行しないようにすることができる。
【００４７】
より具体的には、便器洗浄中に局部洗浄が操作された場合には、制御部２００は、局部洗浄の実行を禁止し、便器洗浄の動作を優先的に実行することができる。あるいは、局部洗浄中に便器洗浄が操作された場合には、制御部２００は、便器洗浄の実行を禁止し、局部洗浄の動作を優先的に実行することができる。あるいは、局部洗浄中に便器洗浄が操作された場合には、制御部２００は、局部洗浄の動作を途中で中止し、便器洗浄の動作を優先的に実行することができる。
【００４８】
これにより、便器洗浄水と局部洗浄ノズル４０４とが干渉することはなく、水跳ねした便器洗浄水が使用者の臀部にぶつかることを防止することができる。さらに、局部洗浄ノズル４０４が便器洗浄水の導水流路５１０Ｒの一部を塞ぐことはなく、便器洗浄性能を損なわないようにすることができる。
【００４９】
以下、本実施形態の具体例について図面を参照しつつ説明する。  
現在、トイレ装置の便器洗浄方式は種々の方式があるが、それらの内のいくつかを例に挙げて説明する。  
図９は、密結タンク式（ロータンク式）のトイレ装置を例示する模式図である。  
本具体例のトイレ装置は、便器（大便器）５００と、その上部に設けられたケーシング４３０と、ケーシング４３０に対して開閉自在に軸支された便座４３２と、ケーシング４３０および便座４３２の後方に設けられたロータンク３１０と、を備えている。またさらに、例えば壁面などに、操作装置１００が設けられている。
【００５０】
ケーシング４３０の内部には、局部洗浄を実現するための局部洗浄機能部４００や、制御部２００などが内蔵されている。また、ロータンク３１０の内部には、便器洗浄を実現するための便器洗浄水供給手段３０２が内蔵され、ロータンク３１０の外部には、操作ハンドル３０３が設けられている。便器洗浄水供給手段３０２は、図示しない洗浄モータを有している。使用者が操作装置１００または操作ハンドル３０３を操作して便器洗浄を実行すると、制御部２００は洗浄モータを駆動して図示しない排水弁を動作させる。
【００５１】
図１０は、本具体例のトイレ装置の基本動作を例示するタイミングチャート図である。すなわち、図１０（ａ）は、便器洗浄の基本動作を例示するタイミングチャート図であり、図１０（ｂ）は、局部洗浄の基本動作を例示するタイミングチャート図である。
【００５２】
図１０（ａ）に表したように、使用者が操作装置１００または操作ハンドル３０３を操作して便器５００の「大」洗浄または「小」洗浄を実行すると、制御部２００は便器洗浄水供給手段３０２の有する洗浄モータを駆動させる。洗浄モータが駆動すると、これと連動してロータンク３１０への給水が開始され、一方で、便器５００のボウル５１０内に便器洗浄水が排水（供給）される。なお、ロータンク３１０の内部には、ロータンク３１０の給水弁を自動的に開閉する図示しないボールタップが設けられている。
【００５３】
ロータンク３１０内の便器洗浄水がボウル５１０内に排水されてから、所定時間Ｔ１が経過すると、排水弁が自動的に閉塞され、ボウル５１０内への排水が停止する。一方、ロータンク３１０への給水は継続する。続いて、排水弁が閉塞されてから所定時間Ｔ２が経過すると、ロータンク３１０内が満水となり、ボールタップにより自動的に給水弁が閉塞され、ロータンク３１０への給水が停止する。
【００５４】
また、図１０（ｂ）に表したように、使用者が操作装置１００を操作して「おしり」洗浄や「ビデ」洗浄などを実行すると、局部洗浄装置においては、まず前洗浄が行われる。前洗浄とは、局部洗浄ノズル４０４を進出させる前の洗浄として、ノズル洗浄室４０６が局部洗浄ノズル４０４の外周に水を噴射してその胴体を洗浄することをいう。この前洗浄が行われる際には、局部洗浄電磁弁が開放され、ヒータが駆動する。ここで、ヒータとは、図４に関して前述したように、使用者が局部洗浄水に対して冷たさを感じないように、局部洗浄水を所定温度に温める装置である。
【００５５】
前洗浄が完了すると、制御部２００は、ノズル駆動手段４０２の有するノズルモータを駆動させ、局部洗浄ノズル４０４をボウル５１０内に進出させる。この際には、局部洗浄電磁弁は閉止され、ヒータは駆動していない。局部洗浄ノズル４０４の進出が完了すると、制御部２００は局部洗浄電磁弁を開放し、局部洗浄を実行する。このとき、ヒータも同時に駆動し、局部洗浄水を温めている。使用者が操作装置１００の「止」スイッチを操作すると、制御部２００は局部洗浄電磁弁を閉止し、ヒータの駆動も停止する。一方、制御部２００はノズルモータを駆動させ、局部洗浄ノズル４０４を収納する。局部洗浄ノズル４０４の収納が完了すると、ノズル洗浄室４０６は、局部洗浄ノズル４０４の後洗浄を行う。
【００５６】
このような便器洗浄および局部洗浄の基本動作に対して、本実施形態のトイレ装置は、図２〜図６に関して前述したように、便器洗浄水供給手段３０２による便器洗浄水の供給と、ノズル駆動手段４０２による局部洗浄ノズル４０４の進出と、を同時に実行しないようにすることができる。
【００５７】
図１１は、本具体例のトイレ装置の動作を例示するタイミングチャート図である。  
図１１に表した動作は、便器洗浄中に局部洗浄が操作された場合には、局部洗浄の実行を禁止し、便器洗浄の動作を優先的に実行する動作であり、図２に表したフローチャート図に対応するタイミングチャート図である。
【００５８】
使用者が操作装置１００または操作ハンドル３０３を操作して便器５００の「大」洗浄または「小」洗浄を実行し、ロータンク３１０への給水が行われている際に、使用者が操作装置１００の「おしり」洗浄や「ビデ」洗浄などのスイッチを操作した場合には、制御部２００は、図１１に表したように、この「おしり」洗浄や「ビデ」洗浄などのスイッチの操作を受け付けない。したがって、ロータンク３１０への給水の動作Ｍ１と、局部洗浄電磁弁が開放する動作と、が重複することはなく、給水圧が低下して必要な水圧が得られないということはない。すなわち、便器洗浄と局部洗浄とが同時に行われて給水圧が低下することによって、便器洗浄性能および局部洗浄性能が損なわれるということはない。
【００５９】
図１２は、本具体例のトイレ装置の他の動作を例示するフローチャート図である。  
図１２に表したフローチャート図の動作は、図２に表したフローチャート図の動作の変形例である。  
制御部２００は、現在便器洗浄が動作中であるか否かを判断し（ステップＳ１０２）、便器洗浄が動作中でないと判断した場合には（ステップＳ１０２：ＮＯ）、続いて便器洗浄動作が完了した後に所定時間Ｔｓが経過したか否かを判断する（ステップＳ１２０）。ここで、所定時間Ｔｓとは、ロータンク３１０が満水になるまでの給水時間をいう。便器洗浄動作が完了した後に所定時間Ｔｓが経過していれば（ステップＳ１２０：ＹＥＳ）、制御部２００は、局部洗浄を実行する（ステップＳ１０４）。すなわち、ロータンク３１０が満水となり給水が停止していれば、ロータンク３１０への給水の動作Ｍ１と、局部洗浄電磁弁が開放する動作と、が重複することはないため（図１１参照）、給水圧が低下することによって、便器洗浄性能および局部洗浄性能が損なわれるということはない。
【００６０】
一方、便器洗浄動作が完了した後に所定時間Ｔｓが経過していなければ（ステップＳ１２０：ＮＯ）、制御部２００は、局部洗浄を実行することなくステップＳ１００へ戻る。すなわち、便器洗浄の動作中でなくとも、ロータンク３１０への給水が完了していなければ、ロータンク３１０への給水の動作Ｍ１と、局部洗浄電磁弁が開放する動作と、が重複するため、制御部２００は局部洗浄を実行しない。その他の動作については、図２に関して前述した動作と同様である。
【００６１】
このように、便器洗浄動作が完了した後に所定時間Ｔｓ（給水時間）が経過したか否かを判断することにより、ロータンク３１０内が満水にならなければ局部洗浄が実行されない。したがって、給水圧が低下して必要な水圧が得られないことにより、局部洗浄性能および便器洗浄性能が損なわれることをより確実に防止することができる。
【００６２】
図１３は、本具体例のトイレ装置のさらに他の動作を例示するタイミングチャート図である。  
図１３に表した動作は、局部洗浄中に便器洗浄が操作された場合には、便器洗浄の実行を禁止し、局部洗浄の動作を優先的に実行する動作であり、図３に表したフローチャート図に対応するタイミングチャート図である。
【００６３】
使用者が操作装置１００の「おしり」洗浄や「ビデ」洗浄のスイッチを操作して、局部洗浄を実行している際に、使用者が操作装置１００の「大」洗浄や「小」洗浄を操作した場合には、制御部２００は、図１３に表したように、この「大」洗浄や「小」洗浄の操作を受け付けない。したがって、局部洗浄電磁弁が開放する動作Ｍ３およびＭ４と、ロータンク３１０への給水の動作と、が重複することはなく、給水圧が低下して必要な水圧が得られないということはない。
【００６４】
なお、図１３においては、局部洗浄ノズル４０４が進出している途中に、使用者が操作装置１００を操作した場合を例に挙げたが、これだけに限られるわけではなく、局部洗浄ノズル４０４の前洗浄の動作中（Ｍ３）または局部洗浄の動作中（Ｍ４）に、使用者が操作装置１００を操作した場合であっても、制御部２００はこの操作を受け付けないため、局部洗浄電磁弁が開放する動作Ｍ３およびＭ４と、ロータンク３１０への給水の動作と、が重複することはない。これにより、図１１に関して前述したように、便器洗浄と局部洗浄とが同時に行われて給水圧が低下することによって、便器洗浄性能および局部洗浄性能が損なわれるということはない。  
また、操作ハンドル３０３を操作しようとした場合には、操作ハンドル３０３に図示せぬロック機構を設けておき、局部洗浄を実行している間にはロック機構が働いて操作ハンドル３０３が動かないようにすればよい。
【００６５】
図１４は、本具体例のトイレ装置のさらに他の動作を例示するタイミングチャート図である。  
図１４に表した動作は、局部洗浄中に便器洗浄が操作された場合には、局部洗浄の動作を途中で中止し、便器洗浄の動作を優先的に実行する動作であり、図５に表したフローチャート図に対応するタイミングチャート図である。
【００６６】
使用者が操作装置１００の「おしり」洗浄や「ビデ」洗浄のスイッチを操作して、局部洗浄を実行している際に、使用者が操作装置１００の「大」洗浄や「小」洗浄を操作した場合には、制御部２００は、便器洗浄をすぐには実行せず、ヒータの動作を停止して局部洗浄電磁弁を閉止しつつ、ノズルモータを駆動して局部洗浄ノズル４０４を収納する。したがって、局部洗浄電磁弁が開放する動作Ｍ６およびＭ７と、ロータンク３１０への給水の動作Ｍ１０と、が重複することはない。
【００６７】
続いて、局部洗浄ノズル４０４の収納が完了し、局部洗浄ノズル４０４の後洗浄が実行されると、制御部２００は、洗浄モータを駆動して便器洗浄の動作を開始する。すなわち、局部洗浄の電磁弁が後洗浄のために開放する動作Ｍ８と、ロータンク３１０への給水の動作Ｍ１０と、は重複する。このように、動作Ｍ８と動作Ｍ１０とが重複したとしても、図５に関して前述したように、後洗浄の実行時間は短いため、給水圧の低下が問題になるおそれは少ない。したがって、便器洗浄性能および局部洗浄性能が損なわれるおそれは少ない。  
また、前述したとおり、操作ハンドル３０３を操作しようとした場合には、操作ハンドル３０３に図示せぬロック機構を設けておき、局部洗浄を実行している間にはロック機構が働いて操作ハンドル３０３が動かないようにすればよい。
【００６８】
図１５は、直圧電磁弁駆動式のトイレ装置を例示する模式図である。すなわち、図１５（ａ）は、本具体例のトイレ装置の平面模式図であり、図１５（ｂ）は、本具体例のトイレ装置の側面模式図である。  
本具体例のトイレ装置は、便器（大便器）５００と、この便器５００の上面に配置された便座４３２と、便座４を覆うように配置された便蓋４３４と、便蓋４３４を開閉する電動開閉装置４４２と、便器５００の後方上部に配置されたケーシング４３０と、人体を検知する人体検知手段４４０と、を備えている。本具体例においては、人体検知手段４４０として、便器５００の前に立つ人体の有無を検知する人体検知センサ、または便座４３２に着座した人の有無を検知する着座センサのいずれかを用いることができる。さらに、便器５００の後方には、便器５００に便器洗浄水を供給する便器洗浄水供給手段３０２と制御部２００が配置されており、この便器洗浄水供給手段３０２はサイドパネル３００ａにより覆われている。また、制御部２００は、操作装置１００との間で制御信号の受信又は送信を行う。
【００６９】
便器５００には、汚物を受けるボウル５１０と、このボウル５１０の底部から延びる排水トラップ管路５２４と、ゼット吐水を行うゼット吐水口５２２と、リム吐水を行うリム吐水口５２０と、設けられている。  
ゼット吐水口５２２は、ボウル５１０の底部に形成されており、排水トラップ管路５２４の入口に指向してほぼ水平に配置され、便器洗浄水を排水トラップ管路５２４に向けて吐出するようになっている。  
リム吐水口５２０は、ボウル５１０の左側上部後方に形成されており、ボウル５１０の上縁に沿って便器洗浄水を吐出するようになっている。  
排水トラップ管路５２４は、入口部５２４ａと、この入口部５２４ａから上昇するトラップ上昇管５２４ｂと、このトラップ上昇管５２４ｂから下降するトラップ下降管５２４ｃと、を有し、トラップ上昇管５２４ｂとトラップ下降管５２４ｃとの間が頂部５２４ｄとなっている。
【００７０】
便器洗浄水供給手段３０２は、図１５（ｂ）に表したように、リム吐水口５２０へ導く給水管路を開閉するリム電磁弁３０４と、ゼット吐水口へ導く給水管路を開閉するゼット電磁弁３０６と、を内蔵している。リム電磁弁３０４およびゼット電磁弁３０６は、便器洗浄水を供給する水道に直結されており、水道の給水圧力によりリム吐水口５２０およびゼット吐水口５２２から便器洗浄水が吐出される。
【００７１】
図１６は、本具体例のトイレ装置の基本動作を例示するタイミングチャート図である。すなわち、図１６（ａ）は、便器洗浄の基本動作を例示するタイミングチャート図であり、図１６（ｂ）は、局部洗浄の基本動作を例示するタイミングチャート図である。  
なお、図１６（ｂ）に表した局部洗浄の基本動作は、図１０（ｂ）に表した局部洗浄の基本動作と同様であるため、その詳細な説明は省略する。
【００７２】
図１６（ａ）に表したように、使用者が操作装置１００を操作して便器５００の「大」洗浄または「小」洗浄を実行すると、制御部２００は、まずリム電磁弁３０４を開放してリム吐水口５２０から便器洗浄水を吐水し、ボウル５１０の洗浄動作を行う。続いて、リム電磁弁３０４を開放して所定時間Ｔ５が経過すると、制御部２００は、リム電磁弁３０４を閉止してボウル５１０の洗浄動作を停止する。これと略同時に、ゼット電磁弁３０６を開放してゼット吐水口５２２から便器洗浄水を吐水し、ボウル５１０内の汚物を排水トラップ管路５２４に向けて排出する。続いて、ゼット電磁弁３０６を開放して所定時間Ｔ６が経過すると、制御部２００は、ゼット電磁弁３０６を閉止して汚物の排出を停止する。これと略同時に、リム電磁弁３０４を所定時間Ｔ７だけ再び開放してリム吐水口５２０から便器洗浄水を吐水し、ボウル５１０に封水を確保する。
【００７３】
このような便器洗浄および局部洗浄の基本動作に対して、本実施形態のトイレ装置は、図２〜図６に関して前述したように、便器洗浄水供給手段３０２による便器洗浄水の供給と、ノズル駆動手段４０２による局部洗浄ノズル４０４の進出と、を同時に実行しないようにすることができる。
【００７４】
図１７は、本具体例のトイレ装置の動作を例示するタイミングチャート図である。  
図１７に表した動作は、便器洗浄中に局部洗浄が操作された場合には、局部洗浄の実行を禁止し、便器洗浄の動作を優先的に実行する動作であり、図２に表したフローチャート図に対応するタイミングチャート図である。
【００７５】
使用者が操作装置１００を操作して便器５００の「大」洗浄または「小」洗浄を実行し、リム吐水口５２０またはゼット吐水口５２２から便器洗浄水が吐水されている際に、使用者が操作装置１００の「おしり」洗浄や「ビデ」洗浄などのスイッチを操作した場合には、制御部２００は、図１７に表したように、この「おしり」洗浄や「ビデ」洗浄などのスイッチの操作を受け付けない。したがって、リム電磁弁３０４が開放する動作Ｍ１１及びＭ１２、並びにゼット電磁弁３０６が開放する動作Ｍ１３と、局部洗浄電磁弁が開放する動作と、が重複することはなく、給水圧が低下して必要な水圧が得られないということはない。すなわち、便器洗浄と局部洗浄とが同時に行われて給水圧が低下することによって、便器洗浄性能および局部洗浄性能が損なわれるということはない。
【００７６】
但し、ゼット吐水口５２２から便器洗浄水を吐水してボウル５１０内の汚物を排水トラップ管路５２４に向けて排出する前の動作であって、リム吐水口５２０から便器洗浄水を吐水してボウル５１０の洗浄動作を行う際に、使用者が局部洗浄の操作をした場合には、便器洗浄を停止して局部洗浄の動作を割り込ませて優先的に実行してもよい。これは、リム吐水口５２０から便器洗浄水を吐水してボウル５１０の洗浄動作を行う動作においては、未だ封水が確保されており、この段階で便器洗浄を停止させたとしても、封水切れが生じてボウル５１０と外部配水管Ｄとが連通することはないためである。すなわち、外部配水管Ｄに排出された排泄物などの臭いが、ボウル５１０に伝わってくることはない。ここで、封水切れとは、ボウル５１０と、外部配水管Ｄと、が封水５５０によって仕切られることなく連通した状態をいう。
【００７７】
図１８は、本具体例のトイレ装置の他の動作を例示するタイミングチャート図である。  図１８に表した動作は、局部洗浄中に便器洗浄が操作された場合には、便器洗浄の実行を禁止し、局部洗浄の動作を優先的に実行する動作であり、図３に表したフローチャート図に対応するタイミングチャート図である。
【００７８】
使用者が操作装置１００の「おしり」洗浄や「ビデ」洗浄のスイッチを操作して、局部洗浄を実行している際に、使用者が操作装置１００の「大」洗浄や「小」洗浄を操作した場合には、制御部２００は、図１８に表したように、この「大」洗浄や「小」洗浄の操作を受け付けない。したがって、局部洗浄ノズル４０４が進出する動作および進出した動作Ｍ１５と、リム電磁弁３０４およびゼット電磁弁３０６が開放する動作と、が重複することはない。すなわち、リム電磁弁３０４が開放してリム吐水口５２０から便器洗浄水が吐水されることはないため、局部洗浄ノズル４０４と、リム吐水口５２０から吐水された便器洗浄水と、が干渉することはない。
【００７９】
これに対して、局部洗浄を実行している際に「大」洗浄や「小」洗浄の操作を受け付ける比較例によれば、局部洗浄ノズル４０４が進出する動作および進出した動作Ｍ１５と、リム電磁弁３０４が開放してリム吐水口５２０から便器洗浄水が吐水される動作Ｍ１７およびＭ１８と、が重複する。そのため、図７および図８に関して前述したように、水跳ねや不洗浄区域が生ずるおそれがある。つまり、便器洗浄性能および局部洗浄性能が損なわれるおそれがある。
【００８０】
図１９は、本具体例のトイレ装置の他の動作を例示するタイミングチャート図である。  図１９に表した動作は、図１８に表した動作と同様に、局部洗浄中に便器洗浄が操作された場合には、便器洗浄の実行を禁止し、局部洗浄の動作を優先的に実行する動作であり、図３に表したフローチャート図に対応するタイミングチャート図である。
【００８１】
図１８に関して前述したように、局部洗浄を実行している際には「大」洗浄や「小」洗浄の操作を受け付けないため、局部洗浄電磁弁が開放する動作Ｍ１９およびＭ２０と、リム電磁弁３０４およびゼット電磁弁３０６が開放する動作と、が重複することはない。そのため、給水圧が低下して必要な水圧が得られないということはない。
【００８２】
これに対して、局部洗浄を実行している際に「大」洗浄や「小」洗浄の操作を受け付ける比較例によれば、リム電磁弁３０４が開放する動作Ｍ２２及びＭ２３、並びにゼット電磁弁３０６が開放する動作Ｍ２４と、局部洗浄電磁弁が開放する動作Ｍ２０と、が重複する。そのため、給水圧が低下して必要な水圧が得られないおそれがある。つまり、便器洗浄性能および局部洗浄性能が損なわれるおそれがある。
【００８３】
なお、本具体例のトイレ装置においても、図１４に関して前述した動作と同様に、局部洗浄中に便器洗浄が操作された場合には、局部洗浄の動作を途中で中止し、便器洗浄の動作を優先的に実行することもできる。
【００８４】
図２０は、直圧タンクポンプ駆動式のトイレ装置を例示する模式図である。すなわち、図２０（ａ）は、本具体例のトイレ装置の平面模式図であり、図２０（ｂ）は、本具体例のトイレ装置の側面模式図である。  
本具体例のトイレ装置の便器洗浄水供給手段３０２は、図２０（ｂ）に表したように、給水管路を開閉する便器洗浄電磁弁３０８と、便器洗浄水をゼット吐水口５２２とリム吐水口５２０とに分配する給水路切替弁（リム電磁弁）３２０と、ゼット吐水口５２２に給水する便器洗浄水を貯水するゼット用タンク３１２と、貯水された便器洗浄水を加圧してゼット吐水口５２２に供給するゼットポンプ３１４と、を内蔵している。
【００８５】
便器洗浄電磁弁３０８は、便器洗浄水を供給する水道に直結されており、水道の給水圧力によりリム吐水口５２０から便器洗浄水が吐出される。一方、ゼット吐水に関しては、便器洗浄水供給手段３０２に内蔵されたゼット用タンク３１２に貯水された便器洗浄水をゼットポンプ３１４によって加圧して、大流量で便器洗浄水がゼット吐水口５２２から吐出される。なお、その他の構造については、図１５に表したトイレ装置と同様である。
【００８６】
図２１は、本具体例のトイレ装置の基本動作を例示するタイミングチャート図である。すなわち、図２１（ａ）は、便器洗浄の基本動作を例示するタイミングチャート図であり、図２１（ｂ）は、局部洗浄の基本動作を例示するタイミングチャート図である。  
なお、図２１（ｂ）に表した局部洗浄の基本動作は、図１０（ｂ）に表した局部洗浄の基本動作と同様であるため、その詳細な説明は省略する。
【００８７】
図２１（ａ）に表したように、使用者が操作装置１００を操作して便器５００の「大」洗浄または「小」洗浄を実行すると、制御部２００は、まず便器洗浄電磁弁３０８を開放しつつ、給水路切替弁（リム電磁弁）３２０の給水先をリム吐水口５２０に切り替えて、リム吐水口５２０から便器洗浄水を吐水し、ボウル５１０の洗浄動作を行う。続いて、給水路切替弁３２０の給水先をリム吐水口５２０に切り替えて所定時間Ｔ１０が経過すると、制御部２００は、給水路切替弁３２０の給水先をゼット吐水口５２２に切り替えつつ、ゼットポンプ３１４を駆動してゼット吐水口５２２から便器洗浄水を吐水し、ボウル５１０内の汚物を排水トラップ管路５２４に向けて排出する。
【００８８】
また、ゼットポンプ３１４を駆動するタイミングと略同時に、図示しないフロートスイッチが「切」に切り替わり、ゼット用タンク３１２への給水を開始する。なお、フロートスイッチとは、ゼット用タンク３１２に貯水された水の満水状態を検知するものであり、ゼット用タンク３１２が満水の場合には「入」に切り替わり、ゼット用タンク３１２が満水でない場合には「切」に切り替わる。
【００８９】
続いて、給水路切替弁３２０の給水先をゼット吐水口５２２に切り替えて所定時間Ｔ１１が経過すると、制御部２００は、再び、給水路切替弁３２０の給水先をリム吐水口５２０に切り替えてリム吐水口５２０から便器洗浄水を吐水し、ボウル５１０に封水を確保する。このとき、給水路切替弁３２０の給水先はリム吐水口５２０に切り替えられるため、ゼット用タンク３１２への給水の駆動は、一旦停止する。
【００９０】
続いて、給水路切替弁３２０の給水先をリム吐水口５２０に切り替えて所定時間Ｔ１２が経過し、封水が確保されると、制御部２００は、再び、給水路切替弁３２０の給水先をゼット吐水口５２２に切り替えて、ゼット用タンク３１２への給水を再開する。ゼット用タンク３１２が満水になるとフロートスイッチは「入」に切り替わり、ゼット用タンク３１２への給水が開始されてから所定時間Ｔｓが経過すると、ゼット用タンク３１２への給水の駆動は停止する。これと略同時に、制御部２００は便器洗浄電磁弁３０８を閉止する。
【００９１】
このような便器洗浄および局部洗浄の基本動作に対して、本実施形態のトイレ装置は、図２〜図６に関して前述したように、便器洗浄水供給手段３０２による便器洗浄水の供給と、ノズル駆動手段４０２による局部洗浄ノズル４０４の進出と、を同時に実行しないようにすることができる。
【００９２】
図２２は、本具体例のトイレ装置の動作を例示するタイミングチャート図である。  
図２２に表した動作は、局部洗浄中に便器洗浄が操作された場合には、便器洗浄の実行を禁止し、局部洗浄の動作を優先的に実行する動作であり、図３に表したフローチャート図に対応するタイミングチャート図である。
【００９３】
使用者が操作装置１００の「おしり」洗浄や「ビデ」洗浄のスイッチを操作して、局部洗浄を実行している際に、使用者が操作装置１００の「大」洗浄や「小」洗浄を操作した場合には、制御部２００は、図２２に表したように、この「大」洗浄や「小」洗浄の操作を受け付けない。したがって、局部洗浄水を所定温度に温めるヒータの動作Ｍ２５と、ゼットポンプ３１４の動作と、が重複することはない。
【００９４】
局部洗浄水を所定温度に温めるヒータを動作させるためには、大きな電流が必要となる。一方、ゼットポンプ３１４を動作させる際にも、大きな電流が必要となる。したがって、ヒータの動作とゼットポンプ３１４の動作とが重複すると、必要な電流が得られず、局部洗浄と便器洗浄との性能が低下するおそれがある。本具体例のトイレ装置の動作によれば、ヒータの動作Ｍ２５と、ゼットポンプ３１４の動作と、が重複することはないため、必要な電流が得られないことはなく、便器洗浄性能および局部洗浄性能が損なわれるということはない。
【００９５】
これに対して、局部洗浄を実行している際に「大」洗浄や「小」洗浄の操作を受け付ける比較例によれば、ゼットポンプ３１４の動作Ｍ２７と、ヒータの動作Ｍ２５と、が重複するため、必要な電流が得られず、局部洗浄と便器洗浄との性能が低下するおそれがある。つまり、便器洗浄性能および局部洗浄性能が損なわれるおそれがある。
【００９６】
図２３は、本具体例のトイレ装置の他の動作を例示するタイミングチャート図である。  図２３に表した動作は、局部洗浄中に便器洗浄が操作された場合には、局部洗浄の動作を途中で中止し、便器洗浄の動作を優先的に実行する動作であり、図４および図５に表したフローチャート図に対応するタイミングチャート図である。
【００９７】
使用者が操作装置１００の「おしり」洗浄や「ビデ」洗浄のスイッチを操作して、局部洗浄を実行している際に、使用者が操作装置１００の「大」洗浄や「小」洗浄を操作した場合には、制御部２００は、便器洗浄をすぐには実行せず、ヒータの動作を停止して局部洗浄電磁弁を閉止しつつ、ノズルモータを駆動して局部洗浄ノズル４０４を収納する。したがって、局部洗浄水を所定温度に温めるヒータの動作Ｍ２８と、ゼットポンプ３１４の動作Ｍ３１と、が重複することはない。
【００９８】
続いて、局部洗浄ノズル４０４の収納が開始されるタイミングと略同時に、制御部２００は、給水路切替弁（リム電磁弁）３２０およびゼットポンプ３１４を駆動させて便器洗浄の動作を開始する。このとき、局部洗浄ノズル４０４の後洗浄が開始されても、制御部２００はヒータを駆動しない。これにより、後洗浄におけるヒータの動作と、ゼットポンプ３１４の動作Ｍ３１と、が重複することを防止することができる。その結果、ヒータの動作Ｍ２８と、ゼットポンプ３１４の動作Ｍ３１と、が重複することはないため、必要な電流が得られないことはなく、便器洗浄性能および局部洗浄性能が損なわれるということはない。
【００９９】
図２４は、本具体例のトイレ装置のさらに他の動作を例示するタイミングチャート図である。  
図２４に表した動作は、図２３に表した動作と同様に、局部洗浄中に便器洗浄が操作された場合には、局部洗浄の動作を途中で中止し、便器洗浄の動作を優先的に実行する動作であり、図３および図５に表したフローチャート図に対応するタイミングチャート図である。
【０１００】
使用者が操作装置１００の「おしり」洗浄や「ビデ」洗浄のスイッチを操作して、局部洗浄を実行している際に、使用者が操作装置１００の「大」洗浄や「小」洗浄を操作した場合には、図２３に表した動作と同様に、制御部２００は、便器洗浄をすぐには実行せず、ヒータの動作を停止して電磁弁を閉止しつつ、ノズルモータを駆動して局部洗浄ノズル４０４を収納する。
【０１０１】
続いて、局部洗浄ノズル４０４の収納が完了し、さらに局部洗浄ノズル４０４の後洗浄が完了すると、制御部２００は、給水路切替弁（リム電磁弁）３２０およびゼットポンプ３１４を駆動させて便器洗浄の動作を開始する。したがって、ヒータの動作Ｍ３２およびＭ３３と、ゼットポンプ３１４の動作Ｍ３４が重複することはないため、必要な電流が得られないことはなく、便器洗浄性能および局部洗浄性能が損なわれるということはない。
【０１０２】
なお、本具体例のトイレ装置においても、図１１に関して前述した動作と同様に、便器洗浄中に局部洗浄が操作された場合には、局部洗浄の実行を禁止し、便器洗浄の動作を優先的に実行することができる。但し、この動作において、ゼットポンプ３１４を駆動してゼット吐水口５２２から便器洗浄水を吐水する前の動作であって、リム吐水口５２０から便器洗浄水を吐水する際に、使用者が局部洗浄の操作した場合には、便器洗浄を停止して局部洗浄の動作を割り込ませて優先的に実行してもよい。これは、便器洗浄の初期段階においては、大きな電流が必要となるゼットポンプ３１４が駆動することはなく、局部洗浄水を所定温度に温めるヒータの動作と、ゼットポンプ３１４の駆動と、が重複して必要な電流が得られないということはないためである。
【０１０３】
図２５は、回動トラップ式のトイレ装置を例示する模式図である。  
本具体例のトイレ装置は、ボウル５１０を有する便器（大便器）５００と、便器５００の後方上部に配置されたケーシング４３０と、便器５００の後方下部に設けられボウル５１０内に一定の封水を確保するための回動トラップ部５４０と、を備えている。ケーシング４３０の内部には、制御部２００と、便器洗浄電磁弁３１６と、回動トラップ部５４０の最上位置と最下位置とをそれぞれ検知する検知センサ３１８と、が設けられている。便器洗浄電磁弁３１６は、例えば、水道に直結されており、便器洗浄電磁弁３１６を開放することによりボウル５１０内に封水を確保することができる。またさらに、例えば壁面などに、操作装置１００が設けられている。
【０１０４】
図２６は、本具体例のトイレ装置の基本動作を例示するタイミングチャート図である。  図２６に表したように、使用者が操作装置１００を操作して便器５００の「大」洗浄または「小」洗浄を実行すると、制御部２００は、図２５（ａ）から図２５（ｂ）に表したように、図示しないモータを駆動して回動トラップ部５４０を矢印Ａの方向に下回動させつつ、便器洗浄電磁弁３１６を開放する。その結果、封水５５０は回動トラップ部５４０の上部から矢印Ａ２の方向に排出される。
【０１０５】
続いて、封水５５０の容量がＥに表した容量分だけ減少すると、制御部２００は、図２５（ｂ）から図２５（ｃ）に表したように、回動トラップ部５４０をさらに矢印Ａ４の方向に下回動させ、封水５５０を汚物と共に一気にＡ３の方向に排出する。検知センサ３１８が回動トラップ部５４０の最下位置を検知してから所定時間Ｔ１５が経過すると、制御部２００は、図示しないモータを駆動して回動トラップ部５４０を上回転させる。回動トラップ部５４０が上回転し、検知センサ３１８が回動トラップ部５４０の最上位置を検知すると、制御部２００は回動トラップ部５４０の回動を停止させる。その後、所定時間Ｔ１６が経過し、ボウル５１０内に封水５５０が確保されると、制御部２００は便器洗浄電磁弁３１６を閉止して例えば水道からの給水を停止する。
【０１０６】
このような便器洗浄の基本動作に対して、本実施形態のトイレ装置は、図２〜図６に関して前述したように、便器洗浄水供給手段３０２による便器洗浄水の供給と、ノズル駆動手段４０２による局部洗浄ノズル４０４の進出と、を同時に実行しないようにすることができる。
【０１０７】
図２７は、本具体例のトイレ装置の動作を例示するタイミングチャート図である。  
図２７に表した動作は、便器洗浄中に局部洗浄が操作された場合には、局部洗浄の実行を禁止し、便器洗浄の動作を優先的に実行する動作であり、図２に表したフローチャート図に対応するタイミングチャート図である。
【０１０８】
使用者が操作装置１００を操作して便器５００の「大」洗浄または「小」洗浄を実行し、ボウル５１０へ便器洗浄水が吐水されている際に、使用者が操作装置１００の「おしり」洗浄や「ビデ」洗浄などのスイッチを操作した場合には、制御部２００は、図２７に表したように、この「おしり」洗浄や「ビデ」洗浄などのスイッチの操作を受け付けない。したがって、便器洗浄電磁弁３１６が開放する動作Ｍ３５と、局部洗浄電磁弁が開放する動作と、が重複することはなく、給水圧が低下して必要な水圧が得られないということはない。すなわち、便器洗浄と局部洗浄とが同時に行われて給水圧が低下することによって、便器洗浄性能および局部洗浄性能が損なわれるということはない。
【０１０９】
なお、本具体例のトイレ装置の動作において、回動トラップ部５４０が下回転し、封水切れを生ずる前に、使用者が局部洗浄の操作をした場合には、便器洗浄を停止して局部洗浄の動作を割り込ませて優先的に実行してもよい。ここで、封水切れとは、例えば図２５（ｃ）に表したような状態であり、前述したように、ボウル５１０と、外部配水管Ｄと、が封水５５０によって仕切られることなく連通した状態をいう。封水切れが生ずる前に便器洗浄を停止させたとしても、ボウル５１０と外部配水管Ｄとが連通することはないため、外部配水管Ｄに排出された排泄物などの臭いが、ボウル５１０に伝わってくることはない。
【０１１０】
図２８は、本具体例のトイレ装置のさらに他の動作を例示するタイミングチャート図である。  
図２８に表した動作は、局部洗浄中に便器洗浄が操作された場合には、局部洗浄の動作を途中で中止し、便器洗浄の動作を優先的に実行する動作であり、図５に表したフローチャート図に対応するタイミングチャート図である。
【０１１１】
使用者が操作装置１００の「おしり」洗浄や「ビデ」洗浄のスイッチを操作して、局部洗浄を実行している際に、使用者が操作装置１００「大」洗浄や「小」洗浄を操作した場合には、制御部２００は、便器洗浄をすぐには実行せず、ヒータの動作を停止して局部洗浄電磁弁を閉止しつつ、ノズルモータを駆動して局部洗浄ノズル４０４を収納する。したがって、局部洗浄電磁弁が開放する動作Ｍ３６およびＭ３７と、便器洗浄電磁弁３１６が開放する動作Ｍ３９と、が重複することはない。
【０１１２】
続いて、局部洗浄ノズル４０４の収納が完了し、局部洗浄ノズル４０４の後洗浄が実行されると、制御部２００は、便器洗浄電磁弁３１６を開放して便器洗浄の動作を開始する。すなわち、局部洗浄電磁弁が後洗浄のために開放する動作Ｍ３８と、便器洗浄電磁弁３１６が開放する動作Ｍ３９と、は重複する。このように、動作Ｍ３８と動作Ｍ３９とが重複したとしても、図５に関して前述したように、後洗浄の実行時間は短いため、給水圧の低下が問題になるおそれは少ない。したがって、便器洗浄性能および局部洗浄性能が損なわれるおそれは少ない。
【０１１３】
なお、本具体例のトイレ装置においても、図１３に表した動作と同様に、局部洗浄中に便器洗浄が操作された場合には、便器洗浄の実行を禁止し、局部洗浄の動作を優先的に実行することもできる。
【０１１４】
以上説明したように、本実施形態によれば、便器洗浄水供給手段３０２による便器洗浄水の供給と、ノズル駆動手段４０２による局部洗浄ノズル４０４の進出と、を同時に実行しないようにすることができる。これにより、便器洗浄水と局部洗浄ノズル４０４とが干渉することはなく、水跳ねや不洗浄区域が生ずることはない。また、給水圧が低下して必要な水圧が得られないということはない。さらに、局部洗浄に関する電力と、便器洗浄に関する電力と、が重複して必要な電力が得られないということはない。したがって、便器洗浄性能および局部洗浄性能が損なわれるということはない。
【０１１５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置や局部洗浄ノズル４０４などが備える各要素の形状、寸法、材質、配置などや操作装置１００および制御部２００の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【０１１６】
【図１】本発明の実施の形態にかかるトイレ装置の構成を例示するブロック図である。
【図２】本実施形態にかかるトイレ装置の動作の具体例を例示するフローチャート図である。
【図３】本実施形態にかかるトイレ装置の動作の他の具体例を例示するフローチャート図である。
【図４】本実施形態にかかるトイレ装置の動作のさらに他の具体例を例示するフローチャート図である。
【図５】図４に表した動作の変形例を例示するフローチャート図である。
【図６】図４に表した動作の他の変形例を例示するフローチャート図である。
【図７】本実施形態にかかるトイレ装置の一例を例示する模式図である。
【図８】図７に例示したトイレ装置の一部拡大斜視図である。
【図９】密結タンク式（ロータンク式）のトイレ装置を例示する模式図である。
【図１０】本具体例のトイレ装置の基本動作を例示するタイミングチャート図である。
【図１１】本具体例のトイレ装置の動作を例示するタイミングチャート図である。
【図１２】本具体例のトイレ装置の他の動作を例示するフローチャート図である。
【図１３】本具体例のトイレ装置のさらに他の動作を例示するタイミングチャート図である。
【図１４】本具体例のトイレ装置のさらに他の動作を例示するタイミングチャート図である。
【図１５】直圧電磁弁駆動式のトイレ装置を例示する模式図である。
【図１６】本具体例のトイレ装置の基本動作を例示するタイミングチャート図である。
【図１７】本具体例のトイレ装置の動作を例示するタイミングチャート図である。
【図１８】本具体例のトイレ装置の他の動作を例示するタイミングチャート図である。
【図１９】本具体例のトイレ装置の他の動作を例示するタイミングチャート図である。
【図２０】直圧タンクポンプ駆動式のトイレ装置を例示する模式図である。
【図２１】本具体例のトイレ装置の基本動作を例示するタイミングチャート図である。
【図２２】本具体例のトイレ装置の動作を例示するタイミングチャート図である。
【図２３】本具体例のトイレ装置の他の動作を例示するタイミングチャート図である。
【図２４】本具体例のトイレ装置のさらに他の動作を例示するタイミングチャート図である。
【図２５】回動トラップ式のトイレ装置を例示する模式図である。
【図２６】本具体例のトイレ装置の基本動作を例示するタイミングチャート図である。
【図２７】本具体例のトイレ装置の動作を例示するタイミングチャート図である。
【図２８】本具体例のトイレ装置のさらに他の動作を例示するタイミングチャート図である。
【符号の説明】
【０１１７】
１００ 操作装置、  ２００ 制御部、  ３００ａ サイドパネル、  ３０２ 便器洗浄水供給手段、  ３０３ 操作ハンドル、  ３０４ リム電磁弁、  ３０６ ゼット電磁弁、  ３０８ 便器洗浄電磁弁、  ３１０ ロータンク、  ３１２ ゼット用タンク、  ３１４ ゼットポンプ、  ３１６ 便器洗浄電磁弁、  ３１８ 検知センサ、  ３２０ 給水路切替弁（リム電磁弁）、  ４００ 局部洗浄機能部、  ４０２ ノズル駆動手段、  ４０４ 局部洗浄ノズル、  ４０６ ノズル洗浄室、  ４１０ 基部、  ４２０ シャッター、  ４３０ ケーシング、  ４３２ 便座、  ４３４ 便蓋、  ４４０ 人体検知手段、  ４４２ 電動開閉装置、  ５００ 便器、  ５１０ ボウル、  ５１０Ｒ 導水流路、  ５１０Ｓ 矢印、  ５２０ リム吐水口、  ５２２ ゼット吐水口、  ５２４ 排水トラップ管路、  ５２４ａ 入口部、  ５２４ｂ トラップ上昇管、  ５２４ｃ トラップ下降管、  ５２４ｄ 頂部、  ５３０ 切り欠き、  ５４０ 回動トラップ部、  ５５０ 封水
【図１】
0005234404.tif 000002
【図２】
0005234404.tif 000003
【図３】
0005234404.tif 000004
【図４】
0005234404.tif 000005
【図５】
0005234404.tif 000006
【図６】
0005234404.tif 000007
【図７】
0005234404.tif 000008
【図８】
0005234404.tif 000009
【図９】
0005234404.tif 000010
【図１０】
0005234404.tif 000011
【図１１】
0005234404.tif 000012
【図１２】
0005234404.tif 000013
【図１３】
0005234404.tif 000014
【図１４】
0005234404.tif 000015
【図１５】
0005234404.tif 000016
【図１６】
0005234404.tif 000017
【図１７】
0005234404.tif 000018
【図１８】
0005234404.tif 000019
【図１９】
0005234404.tif 000020
【図２０】
0005234404.tif 000021
【図２１】
0005234404.tif 000022
【図２２】
0005234404.tif 000023
【図２３】
0005234404.tif 000024
【図２４】
0005234404.tif 000025
【図２５】
0005234404.tif 000026
【図２６】
0005234404.tif 000027
【図２７】
0005234404.tif 000028
【図２８】
0005234404.tif 000029